(57)【特許請求の範囲】
【請求項１】
車両の運転席用の画像と同乗者席用の画像とを含む画像の表示を制御する表示制御システムであって、
少なくとも、前記運転席用の画像に応じて行われる運転者の操作の状況を表す操作情報、および前記車両の状態を表す車両状態情報を取得する情報取得部と、
前記情報取得部によって取得された前記操作情報および前記車両状態情報に基づいて、前記運転席用の画像に応じて運転者の操作が行われている途中に、運転者の操作が制限される操作制限状態に移行したと判断すると、前記同乗者席用の画像を、運転者の操作が行われていた途中段階の運転席用の画像に切替える切替部と、
前記運転席用の画像に応じて行われた運転者の操作の履歴を表す履歴情報を生成する履歴生成部とを備え、
前記切替部によって、前記同乗者席用の画像が、運転者の操作が行われていた途中段階の運転席用の画像に切替えられた場合、前記履歴生成部によって生成された履歴情報に基づいて、前記途中段階までに運転者によって行われた操作の内容を参照可能に構成され、
前記切替部は、前記運転席用の画像に応じて運転者の操作が行われている途中に前記操作制限状態に移行したと判断し、かつ前記同乗者席用の画像を切替えることが可能な切替可能状態であると判断すると、前記同乗者席用の画像を、運転者の操作が行われていた途中段階の運転席用の画像に切替え、
前記切替部は、前記同乗者席用の画像として、記録媒体に記録された映像コンテンツもしくは外部から受信した映像コンテンツが表示されているか、または前記同乗者席用の画像に応じて同乗者の操作が行われている場合、前記切替可能状態ではないと判断し、前記同乗者席用の画像の切替えを行わないことを特徴とする表示制御システム。
【請求項２】
車両の運転席用の画像と同乗者席用の画像とを含む画像の表示を制御する表示制御システムであって、
少なくとも、前記運転席用の画像に応じて行われる運転者の操作の状況を表す操作情報、および前記車両の状態を表す車両状態情報を取得する情報取得部と、
前記情報取得部によって取得された前記操作情報および前記車両状態情報に基づいて、前記運転席用の画像に応じて運転者の操作が行われている途中に、運転者の操作が制限される操作制限状態に移行したと判断すると、前記同乗者席用の画像を、運転者の操作が行われていた途中段階の運転席用の画像に切替える切替部と、
前記運転席用の画像に応じて行われた運転者の操作の履歴を表す履歴情報を生成する履歴生成部とを備え、
前記切替部によって、前記同乗者席用の画像が、運転者の操作が行われていた途中段階の運転席用の画像に切替えられた場合、前記履歴生成部によって生成された履歴情報に基づいて、前記途中段階までに運転者によって行われた操作の内容を参照可能に構成され、
前記切替部によって、前記同乗者席用の画像が、運転者の操作が行われていた途中段階の運転席用の画像に切替えられた場合、前記途中段階までに運転者によって行われた操作の内容が同乗者によって変更されないように制御を行う制御部を備えることを特徴とする表示制御システム。
【請求項３】
前記切替部は、前記同乗者席用の画像を、運転者の操作が行われていた途中段階の運転席用の画像に切替えるとともに、前記運転席用の画像を、同乗者によって行われている操作の状況を表す画像に切替えることを特徴とする請求項１または請求項２に記載の表示制御システム。
【請求項４】
車両の運転席用の画像と同乗者席用の画像とを含む画像の表示を制御する表示制御方法であって、
少なくとも、前記運転席用の画像に応じて行われる運転者の操作の状況を表す操作情報、および前記車両の状態を表す車両状態情報を取得し、
取得した前記操作情報および前記車両状態情報に基づいて、前記運転席用の画像に応じて運転者の操作が行われている途中に、運転者の操作が制限される操作制限状態に移行したと判断すると、前記同乗者席用の画像を、運転者の操作が行われていた途中段階の運転席用の画像に切替え、
前記運転席用の画像に応じて行われた運転者の操作の履歴を表す履歴情報を生成し、
生成された履歴情報に基づいて、前記途中段階までに運転者によって行われた操作の内容を参照可能とし、
前記運転席用の画像に応じて運転者の操作が行われている途中に前記操作制限状態に移行したと判断し、かつ前記同乗者席用の画像を切替えることが可能な切替可能状態であると判断すると、前記同乗者席用の画像を、運転者の操作が行われていた途中段階の運転席用の画像に切替え、
前記同乗者席用の画像として、記録媒体に記録された映像コンテンツもしくは外部から受信した映像コンテンツが表示されているか、または前記同乗者席用の画像に応じて同乗者の操作が行われている場合、前記切替可能状態ではないと判断し、前記同乗者席用の画像の切替えを行わないことを特徴とすることを特徴とする表示制御方法。
【請求項５】
車両の運転席用の画像と同乗者席用の画像とを含む画像の表示を制御する表示制御方法であって、
少なくとも、前記運転席用の画像に応じて行われる運転者の操作の状況を表す操作情報、および前記車両の状態を表す車両状態情報を取得し、
取得した前記操作情報および前記車両状態情報に基づいて、前記運転席用の画像に応じて運転者の操作が行われている途中に、運転者の操作が制限される操作制限状態に移行したと判断すると、前記同乗者席用の画像を、運転者の操作が行われていた途中段階の運転席用の画像に切替え、
前記運転席用の画像に応じて行われた運転者の操作の履歴を表す履歴情報を生成し、
生成された履歴情報に基づいて、前記途中段階までに運転者によって行われた操作の内容を参照可能とし、
前記同乗者席用の画像が、運転者の操作が行われていた途中段階の運転席用の画像に切替えられた場合、前記途中段階までに運転者によって行われた操作の内容が同乗者によって変更されないように制御を行うことを特徴とする表示制御方法。
【発明の詳細な説明】
【技術分野】
【０００１】
本発明は、表示制御システムおよび表示制御方法に関する。
【背景技術】
【０００２】
車両に搭載されるカーナビゲーション装置などの車載電子機器では、１つの表示画面に対して、運転席方向の予め定める角度から視認可能な画像と、助手席方向の予め定める角度から視認可能な画像とを表示可能な表示装置が用いられるようになってきている。このような表示装置は、デュアルビューディスプレイと呼ばれることがある。
【０００３】
デュアルビューディスプレイを用いた車載電子機器において、車両の走行中に、運転者に代わって助手席の同乗者が車載電子機器の操作を行うことができる技術が、たとえば特許文献１に開示されている。
【０００４】
特許文献１に開示される車載電子機器は、車両が走行を開始したときには、車両が走行を開始する直前に運転席方向に表示されていた直近の操作メニュー画面を助手席方向に表示する。これによって、運転者が途中まで行っていた操作を同乗者が引き継いで操作することができるようにしている。
【０００５】
また、特許文献１に開示される車載電子機器は、車両の走行中に、運転者が表示装置のタッチパネルをタッチすると、助手席方向に操作メニュー画面を表示する。
【０００６】
特許文献１に開示される車載電子機器は、助手席方向に操作メニュー画面を表示するときには、同乗者による操作を拒否する拒否操作項目として、たとえば戻りボタンなどを表示し、この拒否操作項目に同乗者がタッチした場合、操作を拒否することができるように構成される。
【先行技術文献】
【特許文献】
【０００７】
【特許文献１】特開２００７−２０３９８７号公報
【発明の概要】
【発明が解決しようとする課題】
【０００８】
特許文献１に開示される車載電子機器では、同乗者がＤＶＤ（Digital Versatile Disk）またはテレビジョン放送を視聴している状況などでも勝手に画面が切り替わってしまうという問題がある。また、運転者によって操作項目の選択が進んだ深い階層の操作メニュー画面が同乗者方向に突然表示されても、同乗者は、運転者が何の操作をしようとしていたのかが分からず、操作を引き継ぐことができないという問題がある。
【０００９】
本発明の目的は、車両の運転者の操作を同乗者が円滑に引き継ぐことができるように画像の表示を制御することができる表示制御システムおよび表示制御方法を提供することである。
【課題を解決するための手段】
【００１０】
本発明の表示制御システムは、車両の運転席用の画像と同乗者席用の画像とを含む画像の表示を制御する表示制御システムであって、少なくとも、運転席用の画像に応じて行われる運転者の操作の状況を表す操作情報、および車両の状態を表す車両状態情報を取得する情報取得部と、情報取得部によって取得された操作情報および車両状態情報に基づいて、運転席用の画像に応じて運転者の操作が行われている途中に、運転者の操作が制限される操作制限状態に移行したと判断すると、同乗者席用の画像を、運転者の操作が行われていた途中段階の運転席用の画像に切替える切替部と、運転席用の画像に応じて行われた運転者の操作の履歴を表す履歴情報を生成する履歴生成部とを備え、切替部によって、同乗者席用の画像が、運転者の操作が行われていた途中段階の運転席用の画像に切替えられた場合、履歴生成部によって生成された履歴情報に基づいて、途中段階までに運転者によって行われた操作の内容を参照可能に構成され、切替部は、運転席用の画像に応じて運転者の操作が行われている途中に操作制限状態に移行したと判断し、かつ同乗者席用の画像を切替えることが可能な切替可能状態であると判断すると、同乗者席用の画像を、運転者の操作が行われていた途中段階の運転席用の画像に切替え、切替部は、同乗者席用の画像として、記録媒体に記録された映像コンテンツもしくは外部から受信した映像コンテンツが表示されているか、または同乗者席用の画像に応じて同乗者の操作が行われている場合、切替可能状態ではないと判断し、同乗者席用の画像の切替えを行わないことを特徴とする。
また、本発明の表示制御システムは、車両の運転席用の画像と同乗者席用の画像とを含む画像の表示を制御する表示制御システムであって、少なくとも、運転席用の画像に応じて行われる運転者の操作の状況を表す操作情報、および車両の状態を表す車両状態情報を取得する情報取得部と、情報取得部によって取得された操作情報および車両状態情報に基づいて、運転席用の画像に応じて運転者の操作が行われている途中に、運転者の操作が制限される操作制限状態に移行したと判断すると、同乗者席用の画像を、運転者の操作が行われていた途中段階の運転席用の画像に切替える切替部と、運転席用の画像に応じて行われた運転者の操作の履歴を表す履歴情報を生成する履歴生成部とを備え、切替部によって、同乗者席用の画像が、運転者の操作が行われていた途中段階の運転席用の画像に切替えられた場合、履歴生成部によって生成された履歴情報に基づいて、途中段階までに運転者によって行われた操作の内容を参照可能に構成され、切替部によって、同乗者席用の画像が、運転者の操作が行われていた途中段階の運転席用の画像に切替えられた場合、途中段階までに運転者によって行われた操作の内容が同乗者によって変更されないように制御を行う制御部を備えることを特徴とする。
【００１１】
本発明の表示制御方法は、車両の運転席用の画像と同乗者席用の画像とを含む画像の表示を制御する表示制御方法であって、少なくとも、運転席用の画像に応じて行われる運転者の操作の状況を表す操作情報、および車両の状態を表す車両状態情報を取得し、取得した操作情報および車両状態情報に基づいて、運転席用の画像に応じて運転者の操作が行われている途中に、運転者の操作が制限される操作制限状態に移行したと判断すると、同乗者席用の画像を、運転者の操作が行われていた途中段階の運転席用の画像に切替え、運転席用の画像に応じて行われた運転者の操作の履歴を表す履歴情報を生成し、生成された履歴情報に基づいて、途中段階までに運転者によって行われた操作の内容を参照可能とし、運転席用の画像に応じて運転者の操作が行われている途中に操作制限状態に移行したと判断し、かつ同乗者席用の画像を切替えることが可能な切替可能状態であると判断すると、同乗者席用の画像を、運転者の操作が行われていた途中段階の運転席用の画像に切替え、同乗者席用の画像として、記録媒体に記録された映像コンテンツもしくは外部から受信した映像コンテンツが表示されているか、または同乗者席用の画像に応じて同乗者の操作が行われている場合、切替可能状態ではないと判断し、同乗者席用の画像の切替えを行わないことを特徴とする。
また、本発明の表示制御方法は、車両の運転席用の画像と同乗者席用の画像とを含む画像の表示を制御する表示制御方法であって、少なくとも、運転席用の画像に応じて行われる運転者の操作の状況を表す操作情報、および車両の状態を表す車両状態情報を取得し、取得した操作情報および車両状態情報に基づいて、運転席用の画像に応じて運転者の操作が行われている途中に、運転者の操作が制限される操作制限状態に移行したと判断すると、同乗者席用の画像を、運転者の操作が行われていた途中段階の運転席用の画像に切替え、運転席用の画像に応じて行われた運転者の操作の履歴を表す履歴情報を生成し、生成された履歴情報に基づいて、途中段階までに運転者によって行われた操作の内容を参照可能とし、同乗者席用の画像が、運転者の操作が行われていた途中段階の運転席用の画像に切替えられた場合、途中段階までに運転者によって行われた操作の内容が同乗者によって変更されないように制御を行うことを特徴とする。
【発明の効果】
【００１２】
本発明の表示制御システムによれば、情報取得部と切替部と履歴生成部とを備えて表示制御システムが構成され、車両の運転席用の画像と同乗者席用の画像とを含む画像の表示を制御する。少なくとも操作情報および車両状態情報が、情報取得部によって取得される。取得された操作情報および車両状態情報に基づいて、運転席用の画像に応じて運転者の操作が行われている途中に操作制限状態に移行したと切替部によって判断されると、同乗者席用の画像が、運転者の操作が行われていた途中段階の運転席用の画像に切替えられる。この運転席用の画像に応じて行われた運転者の操作の履歴を表す履歴情報が、履歴生成部によって生成される。この履歴生成部によって生成された履歴情報に基づいて、途中段階までに運転者によって行われた操作の内容を参照可能である。したがって、同乗者は、車両の運転者の操作を円滑に引き継ぐことができる。このように、車両の運転者の操作を同乗者が円滑に引き継ぐことができるように画像の表示を制御することができる。
【００１３】
本発明の表示制御方法によれば、車両の運転席用の画像と同乗者席用の画像とを含む画像の表示が制御される。少なくとも操作情報および車両状態情報が取得される。取得された操作情報および車両状態情報に基づいて、運転席用の画像に応じて運転者の操作が行われている途中に操作制限状態に移行したと判断されると、同乗者席用の画像が、運転者の操作が行われていた途中段階の運転席用の画像に切替えられる。この運転席用の画像に応じて行われた運転者の操作の履歴を表す履歴情報が生成される。生成された履歴情報に基づいて、途中段階までに運転者によって行われた操作の内容を参照可能である。したがって、同乗者は、車両の運転者の操作を円滑に引き継ぐことができる。このように、車両の運転者の操作を同乗者が円滑に引き継ぐことができるように画像の表示を制御することができる。
【図面の簡単な説明】
【００１４】
【図１】本発明の第１の実施の形態である表示制御システム１の構成を示すブロック図である。
【図２】本発明の第２の実施の形態である表示制御システム３の構成を示すブロック図である。
【図３】ジャンル選択画面の一例を示す図である。
【図４】同乗者用操作画面の一例を示す図である。
【図５】履歴画面の一例を示す図である。
【図６】履歴画面の他の例を示す図である。
【図７】同乗者用操作画面の他の例を示す図である。
【図８】本発明の第２の実施の形態における表示制御処理に関する処理手順を示すフローチャートである。
【図９】本発明の第３の実施の形態である表示制御システム４の構成を示すブロック図である。
【図１０】本発明の第４の実施の形態である表示制御システム６の構成を示すブロック図である。
【発明を実施するための形態】
【００１５】
＜第１の実施の形態＞
図１は、本発明の第１の実施の形態である表示制御システム１の構成を示すブロック図である。本実施の形態の表示制御システム１は、車両に搭載可能なカーナビゲーション装置によって実現される。表示制御システム１は、情報取得部１１、切替部１２および履歴生成部１３を備えて構成される。切替部１２および履歴生成部１３は、表示装置２と接続されている。表示制御システム１および表示装置２は、車両に搭載される。
【００１６】
表示制御システム１は、たとえば中央演算処理装置（Central Processing Unit；略称：ＣＰＵ）と、書き込み可能なＲＡＭ（Random Access Memory）などのメモリとによって構成される。メモリは、制御プログラムを記憶する。ＣＰＵが、メモリに記憶されている制御プログラムを実行することによって、表示制御システム１を構成する情報取得部１１、切替部１２および履歴生成部１３の各機能が実現される。
【００１７】
表示制御システム１は、表示装置２が搭載される車両の運転席用の画像（以下「運転席用画像」という場合がある）と、同乗者席用の画像（以下「同乗者席用画像」という場合がある）とを含む画像の表示を制御する。ここで、同乗者席とは、車両内の前方の運転席の隣に設けられる助手席、および車両内の後方に設けられる後部座席をいい、助手席に乗車する者および後部座席に乗車する者を同乗者という。
【００１８】
情報取得部１１は、少なくとも操作情報と車両状態情報とを取得する。操作情報は、運転席用画像に応じて行われる運転者の操作の状況を表す。車両状態情報は、表示装置２が搭載される車両の状態を表す。車両状態情報は、たとえば、車両の走行速度（以下「車速」という場合がある）を表す車速情報である。情報取得部１１は、取得した操作情報および車両状態情報を切替部１２および履歴生成部１３に与える。
【００１９】
切替部１２は、情報取得部１１から与えられる操作情報および車両状態情報に基づいて、運転席用画像に応じて運転者の操作が行われている途中に操作制限状態に移行したと判断すると、同乗者席用画像を、運転者の操作が行われていた途中段階の運転席用画像に切替える。ここで、操作制限状態とは、運転者の操作が制限される状態をいう。
【００２０】
具体的には、切替部１２は、運転席用画像に応じて運転者の操作が行われている途中に操作制限状態に移行したと判断すると、同乗者席用画像を表す表示データとして、運転者の操作が行われていた途中段階の運転席用画像の表示データを表示装置２に与える。
【００２１】
履歴生成部１３は、情報取得部１１から与えられる操作情報および車両状態情報に基づいて、履歴情報を生成する。履歴情報は、運転席用画像に応じて行われた運転者の操作の履歴を表す。履歴生成部１３は、生成した履歴情報を表示装置２に与える。
【００２２】
表示装置２は、たとえば液晶表示装置によって実現される。図示は省略するが、表示装置２は、画像を表示する表示部を備える。表示装置２は、切替部１２から与えられる表示データおよび履歴生成部１３から与えられる履歴情報に基づいて、画像を表示する。
【００２３】
具体的には、表示装置２は、切替部１２から与えられる表示データおよび履歴生成部１３から与えられる履歴情報を、表示装置２で取り扱い可能な画像信号に変換して、得られた画像信号が表す画像情報に対応する画像を表示部の表示画面に表示する。
【００２４】
本実施の形態において、表示装置２は、車両内の前方の運転席および助手席の付近に１つ設けられる。本実施の形態では、表示装置２の表示部の表示画面は１つであり、この１つの表示画面に対して、運転席方向の予め定める角度から視認可能な画像と、助手席方向の予め定める角度から視認可能な画像とが表示される。
【００２５】
表示装置２は、たとえば、携帯電話機、スマートフォンもしくはタブレット型端末装置などの携帯通信装置の表示装置、または車両に搭載可能なカーナビゲーション装置の表示装置である。表示装置２は、携帯通信装置およびカーナビゲーション装置などの表示装置とは別に設けられてもよい。
【００２６】
また表示装置２は、１つに限らず、複数設けられてもよい。たとえば、表示装置２は、車両内の前方の運転席の付近と助手席の付近とに１つずつ別々に設けられてもよいし、車両内の前方の運転席および助手席の付近に１つまたは２つが設けられるとともに、車両内の後方の後部座席の付近に１つが設けられてもよい。
【００２７】
表示装置２が車両内の前方の運転席および助手席の付近に設けられる場合、運転席方向に表示される画像を、前述の運転席用画像といい、助手席方向に表示される画像を、前述の同乗者席用画像という。また、表示装置２が車両内の前方の運転席および助手席の付近に設けられるとともに、車両内の後方の後部座席の付近に設けられる場合、運転席方向に表示される画像を、前述の運転席用画像といい、助手席方向に表示される画像および後部座席方向に表示される画像を、前述の同乗者席用画像という。
【００２８】
本実施の形態では、少なくとも操作情報および車両状態情報が、情報取得部１１によって取得される。取得された操作情報および車両状態情報に基づいて、運転席用画像に応じて運転者の操作が行われている途中に操作制限状態に移行したと切替部１２によって判断されると、同乗者席用画像が、運転者の操作が行われていた途中段階の運転席用画像に切替えられる。この運転席用画像に応じて行われた運転者の操作の履歴を表す履歴情報が、履歴生成部１３によって生成される。
【００２９】
この履歴生成部１３によって生成された履歴情報に基づいて、途中段階までに運転者によって行われた操作の内容を参照可能である。したがって、同乗者は、車両の運転者の操作を円滑に引き継ぐことができる。このように本実施の形態では、車両の運転者の操作を同乗者が円滑に引き継ぐことができるように画像の表示を制御することができる。
【００３０】
本実施の形態では、表示装置２は車両内の前方の運転席および助手席の付近に設けられるので、運転席側と助手席側との間で、運転席用画像と同乗者席用画像との切替え、および操作の引き継ぎが行われる。
【００３１】
前述のように表示装置２が車両内の前方の運転席および助手席の付近に設けられるとともに、車両内の後方の後部座席の付近に設けられる場合には、運転席用画像と同乗者席用画像との切替え、および操作の引き継ぎは、運転席側と助手席側との間で行われてもよいし、運転席側と後部座席側との間で行われてもよい。
【００３２】
本発明の実施の一形態である表示制御方法は、本実施の形態の表示制御システム１によって実現される。本発明の実施の一形態である表示制御方法によれば、少なくとも操作情報および車両状態情報が取得され、取得された操作情報および車両状態情報に基づいて、運転席用画像に応じて運転者の操作が行われている途中に操作制限状態に移行したと判断されると、同乗者席用画像が、運転者の操作が行われていた途中段階の運転席用画像に切替えられる。この運転席用画像に応じて行われた運転者の操作の履歴を表す履歴情報が生成される。
【００３３】
生成された履歴情報を用いることによって、運転者が行っていた操作の内容を同乗者に提示することができるので、同乗者は、車両の運転者の操作を円滑に引き継ぐことができる。このように、本発明の実施の一形態である表示制御方法では、車両の運転者の操作を同乗者が円滑に引き継ぐことができるように画像の表示を制御することができる。
【００３４】
＜第２の実施の形態＞
図２は、本発明の第２の実施の形態である表示制御システム３の構成を示すブロック図である。表示制御システム３は、制御部１０、記憶部３１、操作部３２、運転席用画像生成部３３および同乗者席用画像生成部３４を備えて構成される。制御部１０は、情報取得部１１、切替部１２および履歴生成部１３を備える。表示制御システム３には、表示装置２が接続されている。
【００３５】
本実施の形態における制御部１０の情報取得部１１、切替部１２および履歴生成部１３、ならびに表示装置２は、図１に示す第１の実施の形態における情報取得部１１、切替部１２、履歴生成部１３および表示装置２と同一の構成であるので、同一の参照符号を付して、共通する説明を省略する。
【００３６】
本実施の形態の表示制御システム３は、車両に搭載可能なカーナビゲーション装置によって実現される。表示制御システム３および表示装置２は、車両に搭載される。
【００３７】
記憶部３１は、たとえばハードディスクドライブ（Hard Disk Drive；略称：ＨＤＤ）装置、または半導体メモリなどの記憶装置によって実現される。記憶部３１は、運転席用画像および同乗者席用画像の表示データを生成するときに用いられる画像情報を記憶する。また記憶部３１は、ナビゲーション機能を実現するために必要な情報、たとえば地図に関する地図情報を記憶する。
【００３８】
地図情報は、予め定められた縮尺に対応する複数の地図が階層化されて構成されている。地図情報は、地図を画像として表示するための地図表示情報を含む。地図表示情報は、道路に関する道路情報と、施設の種別、名称および位置などを表す施設情報と、地名、施設名、交差点名および道路名などを表す各種文字情報と、施設および道路番号などを表す各種アイコン情報とを含む。
【００３９】
操作部３２は、運転者または同乗者などの使用者によって操作される。操作部３２は、使用者が、数字情報、文字情報および表示制御システム３への指示情報などの情報を入力するときに用いられる。操作部３２は、使用者によって操作されると、使用者の入力操作に応じた操作情報を生成して、制御部１０の情報取得部１１に与える。
【００４０】
本実施の形態では、操作部３２は、タッチパネルによって構成される。操作部３２がタッチパネルで構成される場合、タッチパネルは、表示装置２の表面に設置され、使用者のタッチ操作とタッチ位置とを検出する。タッチパネルは、検出したタッチ操作とタッチ位置とに応じた操作情報を生成して、制御部１０の情報取得部１１に与える。
【００４１】
操作部３２は、タッチパネルに代えて、たとえば、操作スイッチおよび操作ボタンを含んで構成されてもよいし、音声による操作入力が可能な音声入力装置によって構成されてもよい。操作部３２が操作スイッチおよび操作ボタンを含んで構成される場合、操作部３２は、操作スイッチおよび操作ボタンに対する使用者の操作に応じた操作情報を生成して、制御部１０の情報取得部１１に与える。操作部３２が音声入力装置で構成される場合、音声入力装置は、入力された音声を認識する。音声入力装置は、認識した音声に応じた操作情報を生成して、制御部１０の情報取得部１１に与える。
【００４２】
制御部１０は、たとえばＣＰＵと、書き込み可能なＲＡＭなどのメモリとによって構成される。メモリは、制御プログラムを記憶する。ＣＰＵが、メモリに記憶されている制御プログラムを実行することによって、情報取得部１１、切替部１２、履歴生成部１３、運転席用画像生成部３３および同乗者席用画像生成部３４の各機能が実現される。制御部１０は、メモリに記憶された制御プログラムに従って、情報取得部１１、切替部１２、履歴生成部１３、記憶部３１、運転席用画像生成部３３および同乗者席用画像生成部３４を統括的に制御する。
【００４３】
情報取得部１１は、操作部３２から与えられる操作情報を取得する。操作情報は、操作の対象および内容を示す情報である。操作情報は、たとえば、操作の種別、操作の回数、操作の時間の長さ、操作の対象となる画像およびその画像の表示領域、表示情報量、表示位置、ならびに表示処理負荷、表示装置２の表示部の表示画面における操作の位置または領域などを示す情報の１つ以上を含む。
【００４４】
情報取得部１１は、車両状態情報を取得する。具体的には、情報取得部１１は、不図示の車内ＬＡＮ（Local Area Network）などの車載ネットワークを介して、車両状態情報として、車両内に搭載される車速センサから出力される車速情報を取得する。
【００４５】
また情報取得部１１は、記憶部３１から画像情報を取得する。情報取得部１１は、取得した操作情報、車両状態情報および画像情報を切替部１２および履歴生成部１３に与える。
【００４６】
切替部１２は、情報取得部１１から与えられる画像情報を運転席用画像生成部３３および同乗者席用画像生成部３４に与える。具体的には、切替部１２は、情報取得部１１から与えられた画像情報のうち、運転席用画像の生成に用いられる画像情報を運転席用画像生成部３３に与え、同乗者席用画像の生成に用いられる画像情報を同乗者席用画像生成部３４に与える。
【００４７】
また切替部１２は、情報取得部１１から与えられる操作情報および車両状態情報に基づいて、運転席用画像に応じて運転者の操作が行われている途中に操作制限状態に移行したと判断すると、同乗者席用画像を、運転者の操作が行われていた途中段階の運転席用画像に切替える。具体的には、切替部１２は、同乗者席用画像を表す表示データとして、運転者の操作が行われていた途中段階の運転席用画像の表示データを同乗者席用画像生成部３４に与える。
【００４８】
履歴生成部１３は、生成した履歴情報を運転席用画像生成部３３および同乗者席用画像生成部３４に与える。具体的には、履歴生成部１３は、運転者によって行われた操作の履歴を表す運転者履歴情報を生成し、生成した運転者履歴情報を同乗者席用画像生成部３４に与える。また履歴生成部１３は、同乗者によって行われた操作の履歴を表す同乗者履歴情報を生成し、生成した同乗者履歴情報を運転席用画像生成部３３に与える。
【００４９】
運転席用画像生成部３３は、切替部１２から与えられる表示データ、および履歴生成部１３から与えられる履歴情報に基づいて、運転席用画像を表示するための表示データ（以下「運転席用画像データ」という場合がある。）を生成する。運転席用画像生成部３３は、生成した運転席用画像データを表示装置２に与える。
【００５０】
同乗者席用画像生成部３４は、切替部１２から与えられる表示データ、および履歴生成部１３から与えられる履歴情報に基づいて、同乗者席用画像を表示するための表示データ（以下「同乗者席用画像データ」という場合がある）を生成する。同乗者席用画像生成部３４は、生成した同乗者席用画像データを表示装置２に与える。
【００５１】
表示装置２は、運転席用画像生成部３３から与えられる運転席用画像データに基づいて、運転席方向に、運転席用画像を表示する。また表示装置２は、同乗者席用画像生成部３４から与えられる同乗者席用画像データに基づいて、同乗者席方向に、同乗者席用画像を表示する。本実施の形態では、表示装置２の表示部は、１つの表示画面で、運転席方向には運転席用画像を表示し、同乗者席方向には同乗者席用画像を表示するように構成される。
【００５２】
運転者は、表示装置２の表示画面に表示される運転席用画像に応じて、操作を行う。本実施の形態では、運転者は、表示装置２の表示画面上に設置されるタッチパネルで構成される操作部３２を用いて、表示装置２の表示画面に表示される運転席用画像に応じて操作を行う。たとえば、運転者は、運転席用画像に応じて操作部３２を操作して、施設の検索（以下「施設検索」という場合がある）を行い、検索した施設を車両の目的地として設定する。
【００５３】
表示装置２の表示画面には、運転席用画像として、操作メニュー画面が表示される。操作メニュー画面は、各操作項目に対応する複数の操作メニュー画面が階層化されて構成されている。操作メニュー画面において、ある操作項目が選択されると、選択された操作項目に応じて、１つ下の階層の操作メニュー画面が表示される。
【００５４】
図３は、ジャンル選択画面の一例を示す図である。運転者が施設検索を行う場合、表示装置２の表示画面には、操作メニュー画面として、たとえば図３に示すジャンル選択画面４０が表示される。図３に示すジャンル選択画面４０は、施設検索として、グルメに分類される施設の検索を行うときに表示される。
【００５５】
ジャンル選択画面４０は、所望のジャンルを選択するための複数のジャンルボタンを含む。ジャンルボタンは、たとえば、和食ボタン４１、中華ボタン４２、洋食ボタン４３およびファミリーレストランボタン４４を含む。図３では、運転者が洋食ボタン４３にタッチして「洋食」を選択した場合を示している。このとき、選択された洋食ボタン４３は、たとえば色を付けるなどの処理が施されて表示される。
【００５６】
またジャンル選択画面４０は、１つ前の操作メニュー画面、すなわち１つ上の階層の操作メニュー画面に戻るための戻るボタン４５を含む。ジャンル選択画面４０において、戻るボタン４５をタッチして選択することによって、１つ上の階層の操作メニュー画面に戻ることができる。
【００５７】
図４は、同乗者用操作画面の一例を示す図である。運転者によって施設検索が行われている途中に、運転者の操作が制限される操作制限状態に移行したと判断された場合、表示装置２の同乗者席方向の表示画面には、同乗者席用画像として、たとえば図４に示す同乗者用操作画面５０が表示される。同乗者用操作画面５０は、運転者の操作が行われていた途中段階の画像として、操作制限状態に移行したと判断された時点の操作メニュー画面を含む。
【００５８】
たとえば、図３に示すジャンル選択画面４０において、運転者が洋食ボタン４３にタッチして「洋食」を選択した時点で、操作制限状態に移行したと判断された場合、図４に示すように、操作メニュー画面として料理選択画面を含む同乗者用操作画面５０が表示される。
【００５９】
同乗者用操作画面５０は、履歴を表示させるための履歴表示ボタンを含む。本実施の形態では、同乗者用操作画面５０は、履歴表示ボタンとして、スクロールバーを含む。スクロールバーは、表示画面に表示される操作メニュー画面を切替えるためのバースライダー５６、最新の操作メニュー画面であることを示す現在マーク５７、および最初の操作メニュー画面であることを示すトップマーク５８を含む。
【００６０】
図４に示すようにバースライダー５６が現在マーク５７に接する位置にある場合、表示装置２の表示画面には、操作制限状態に移行したと判断された時点の操作メニュー画面、たとえば図４に示す料理選択画面を含む同乗者用操作画面５０が表示される。料理選択画面は、「洋食」のジャンルに属する料理の中から、所望の料理を選択するための複数の料理選択ボタンを含む。料理選択ボタンは、たとえば、イタリア料理ボタン５１、フランス料理ボタン５２、スペイン料理ボタン５３およびトルコ料理ボタン５４を含む。
【００６１】
料理選択画面は、１つ前の操作メニュー画面、すなわち１つ上の階層の操作メニュー画面に戻るための戻るボタン５５を含む。同乗者用操作画面５０において、戻るボタン５５をタッチして選択することによって、１つ上の階層の操作メニュー画面に戻ることができる。
【００６２】
本実施の形態では、同乗者用操作画面５０において、全ての操作を制限なく行うことが可能であるが、初期設定または予め定める操作によって、運転者が行った操作の変更ができないように設定されてもよい。初期設定および予め定める操作は、たとえば運転者によって行われる。
【００６３】
たとえば、同乗者用操作画面５０では、同乗者が戻るボタン５５を操作できないように、すなわち同乗者が戻るボタン５５をタッチしても選択できないように設定されてもよい。換言すれば、操作部３２を構成するタッチパネルは、同乗者用操作画面５０が表示されているときには、戻るボタン５５の操作ができないように設定されてもよい。
【００６４】
同乗者用操作画面５０において戻るボタン５５が操作できないように設定される場合、戻るボタン５５は、たとえば色を付けるなどの処理が施されて表示される。この場合、同乗者が戻るボタン５５を操作しても、上の階層に戻ることはできない。したがって、たとえば図４に示す例では、同乗者は、「洋食」のジャンルに属する料理の中からしか選択することができなくなる。
【００６５】
たとえば、運転者が予め定める操作をすることによって、同乗者用操作画面５０において戻るボタン５５を操作できないように設定することができる。予め定める操作としては、たとえば、運転者が１つ前の操作メニュー画面で項目を選択するときに、選択する項目のボタンを長押しする操作が挙げられる。図４に示す例では、運転者が、前述の図３に示すジャンル選択画面４０において、所望のジャンルを選択するときに、所望のジャンルのボタンを長押しすることによって、同乗者用操作画面５０において戻るボタン５５を操作できないように設定することができる。
【００６６】
また、予め初期設定において、運転者側の操作を同乗者側の操作よりも優先するように設定することによって、同乗者用操作画面５０において戻るボタン５５を操作できないように設定することもできる。このように初期設定で、戻るボタン５５を操作できないように設定することによって、運転者が前述の予め定める操作を行う必要がなくなるので、運転者の利便性を向上させることができる。
【００６７】
図５は、履歴画面の一例を示す図である。バースライダー５６を現在マーク５７よりもトップマーク５８側に移動させた場合、表示装置２の表示画面には、同乗者席方向に同乗者席用画像として、運転者の操作の途中段階の画面、たとえば図５に示すジャンル選択画面を含む履歴画面６０が表示される。図５では、図３に示すジャンル選択画面４０において、運転者が洋食ボタン４３をタッチして選択した場合の履歴画面６０を示す。
【００６８】
履歴画面６０では、運転者によって選択された洋食ボタン４３が強調されて表示される。たとえば、運転者によって選択された洋食ボタン４３は、色を付けるなどの処理が施されて表示される。このように運転者によって選択されたボタンを強調して表示することによって、同乗者は、運転者が特定のボタン、たとえば洋食ボタン４３を選択したことを容易に認識することができる。
【００６９】
履歴画面６０に含まれるジャンル選択画面は、前述の図３に示すジャンル選択画面４０と同様の構成であり、和食ボタン４１、中華ボタン４２、洋食ボタン４３およびファミリーレストランボタン４４を含むジャンルボタン、ならびに戻るボタン４５を含む。
【００７０】
本実施の形態では、履歴画面６０は、運転者が行った操作を確認するだけの画面であり、バースライダー５６によって画面を遷移させる操作のみが可能である。したがって、履歴画面６０では、バースライダー５６以外のボタンは操作できないように設定される。
【００７１】
たとえば、履歴画面６０では、同乗者が戻るボタン４５を操作できないように、すなわち同乗者が戻るボタン４５をタッチしても選択できないように設定される。換言すれば、操作部３２を構成するタッチパネルは、履歴画面６０が表示されているときには、戻るボタン４５の操作ができないように設定される。このように履歴画面６０において戻るボタン４５が操作できないように設定される場合、戻るボタン４５は、たとえば図５に示すように色を付けるなどの処理が施されて表示される。
【００７２】
履歴画面６０では、戻るボタン４５以外のボタン、たとえばジャンル選択画面のジャンルボタンの各ボタン４１〜４４も、操作できないように設定される。このように履歴画面６０においてジャンルボタンの各ボタン４１〜４４が操作できないように設定される場合、ジャンルボタンの各ボタン４１〜４４は、戻るボタン４５と同様に、色を付けるなどの処理が施されて表示されてもよい。
【００７３】
履歴画面６０では、バースライダー５６以外のボタンも操作可能に設定されてもよい。たとえば、戻るボタン４５およびジャンル選択画面のジャンルボタンの各ボタン４１〜４４は、前述の図４に示す戻るボタン５５と同様に、操作できるように、すなわちタッチによって選択できるように設定されてもよい。換言すれば、操作部３２を構成するタッチパネルは、図５に示す履歴画面６０が表示されているときでも、戻るボタン４５および戻るボタン４５以外のボタンの操作ができるように設定されてもよい。
【００７４】
バースライダー５６以外のボタンを操作できるようにする設定は、前述の図４に示す戻るボタン５５を操作できないようにする設定と同様に、運転者が予め定める操作をすることによって行われてもよいし、予め初期設定において、同乗者側の操作を運転者側の操作と同様に受付けるように設定することによって行われてもよい。
【００７５】
図６は、履歴画面の他の例を示す図である。バースライダー５６をトップマーク５８に接する位置まで移動させた場合、表示装置２の表示画面には、同乗者席方向に同乗者席用画像として、操作の最初の段階の画面、たとえば図６に示す施設検索の検索対象選択画面を含む履歴画面７０が表示される。
【００７６】
検索対象選択画面は、検索対象を選択するための複数の検索対象ボタンを含む。検索対象ボタンは、たとえば、グルメボタン７１、デパートボタン７２、コンビニエンスストアボタン７３、銀行ボタン７４および公園ボタン７５を含む。また検索対象選択画面は、次の頁の検索対象選択画面に進むための次頁ボタン７６を含む。次の頁の検索対象選択画面は、他の検索対象ボタンを含む。
【００７７】
履歴画面７０に含まれる検索対象選択画面の検索対象ボタンの各ボタン７１〜７５および次頁ボタン７６は、前述の図５に示す履歴画面６０の戻るボタン４５と同様に、同乗者が操作できないように、すなわち同乗者がタッチしても選択できないように設定される。換言すれば、操作部３２を構成するタッチパネルは、図６に示す履歴画面７０が表示されているときには、履歴画面７０に含まれる検索対象選択画面の検索対象ボタンの各ボタン７１〜７５および次頁ボタン７６の操作ができないように設定される。
【００７８】
このように履歴画面７０において検索対象ボタンの各ボタン７１〜７５および次頁ボタン７６が操作できないように設定される場合、検索対象ボタンの各ボタン７１〜７５および次頁ボタン７６は、図５に示す履歴画面６０の戻るボタン４５と同様に、色を付けるなどの処理が施されて表示されてもよい。
【００７９】
検索対象ボタンの各ボタン７１〜７５および次頁ボタン７６を操作できないようにする設定は、図５に示す履歴画面６０の戻るボタン４５を操作できないようにする設定と同様に、運転者が予め定める操作をすることによって設定されてもよいし、予め初期設定において、運転者側の操作を同乗者側の操作よりも優先するように設定することによって設定されてもよい。
【００８０】
図７は、同乗者用操作画面の他の例を示す図である。同乗者用操作画面は、前述の図４に示す画面に限定されない。たとえば、運転者が、施設検索のときに施設の名称を用いた検索を行うために、施設の名称を入力している途中で、操作制限状態に移行した場合、図７に示す同乗者用操作画面８０が、表示装置２の表示画面に、同乗者席方向の同乗者席用画像として表示される。
【００８１】
図７に示すようにバースライダー５６が現在マーク５７に接する位置にある場合、すなわちバースライダー５６が最新の画面を表示する位置にある場合、表示装置２の表示画面には、操作制限状態に移行したと判断された時点の操作メニュー画面、たとえば図７に示す同乗者用操作画面８０が表示される。同乗者用操作画面８０は、施設名称検索画面を含む。施設名称検索画面では、検索窓８１の中に、運転者によって入力された文字８２と、その文字８２に続けて同乗者によって入力された文字８３とが表示される。
【００８２】
運転者によって入力された文字８２は、強調して、たとえば下線が付されて表示される。運転者によって入力された文字８２は、太字で表示されてもよい。施設名称検索画面は、検索窓８１の中の表示を１つ前の状態に戻すための戻るボタン８４を含む。
【００８３】
図８は、本発明の第２の実施の形態における表示制御処理に関する処理手順を示すフローチャートである。図８に示すフローチャートの各ステップの処理は、図２に示す表示制御システム３を構成する制御部１０によって実行される。図８に示すフローチャートの処理は、表示制御システム３に電力が供給されると開始され、ステップＳ１に移行する。
【００８４】
ステップＳ１において、制御部１０の情報取得部１１は、取得した車両状態情報、具体的には車速情報に基づいて、車両が走行中か否かを判断する。車両が走行中であると判断された場合は、ステップＳ２に移行し、車両が走行中ではないと判断された場合は、ステップＳ１に戻る。
【００８５】
ステップＳ２において、制御部１０は、車両の走行中にカーナビゲーション装置の操作を制限する走行操作制限を行う。具体的には、制御部１０は、走行操作制限として、運転者による操作を受け付けないように制御を行う。走行操作制限を行うと、ステップＳ３に移行する。
【００８６】
ステップＳ３において、制御部１０は、自動切替え設定がオンになっているか否かを判断する。自動切替え設定がオンになっていると判断された場合は、ステップＳ５に移行し、自動切替え設定がオンになっていないと判断された場合は、ステップＳ４に移行する。ここで、自動切替え設定とは、使用者が操作することなく、運転者と同乗者との間で、操作の実行者を切替える設定をいう。
【００８７】
ステップＳ４において、切替部１２は、運転者側から引き継ぎ操作があるか否かを判断する。運転者側から引き継ぎ操作があると判断された場合は、ステップＳ５に移行し、運転者側から引き継ぎ操作がないと判断された場合は、ステップＳ６に移行する。
【００８８】
ステップＳ５において、切替部１２は、同乗者側が切替可能状態か否かを判断する。具体的には、同乗者席用画像として、ＤＶＤ（Digital Versatile Disk）などの記録媒体に記録された映像コンテンツ、もしくは外部たとえば放送局などから受信した映像コンテンツが表示装置２に表示されておらず、かつ同乗者席用画像に応じて同乗者の操作が行われていない場合は、切替可能状態であると判断する。また、同乗者席用画像として、ＤＶＤなどの記録媒体に記録された映像コンテンツ、もしくは外部たとえば放送局などから受信した映像コンテンツが表示装置２に表示されているか、または同乗者席用画像に応じて同乗者の操作が行われている場合は、切替可能状態ではないと判断する。同乗者側が切替可能状態であると判断された場合は、ステップＳ７に移行し、同乗者側が切替可能状態でないと判断された場合は、ステップＳ６に移行する。
【００８９】
ステップＳ６において、切替部１２は、同乗者側から引き継ぎ操作があるか否かを判断する。同乗者側から引き継ぎ操作があると判断された場合は、ステップＳ７に移行し、同乗者側から引き継ぎ操作がないと判断された場合は、ステップＳ１１に移行する。
【００９０】
ステップＳ７において、切替部１２は、運転者側から同乗者側への引き継ぎ制御を行う。運転者側から同乗者側への引き継ぎ制御を行うと、ステップＳ８に移行する。
【００９１】
ステップＳ８において、情報取得部１１は、取得した車両状態情報、具体的には車速情報に基づいて、車両が走行中か否かを判断する。車両が走行中であると判断された場合は、ステップＳ８に戻り、車両が走行中ではないと判断された場合は、ステップＳ９に移行する。
【００９２】
ステップＳ９において、制御部１０は、走行操作制限を解除する。具体的には、制御部１０は、運転者による操作を受け付けるように制御を行う。走行操作制限を解除すると、ステップＳ１０に移行する。
【００９３】
ステップＳ１０において、切替部１２は、同乗者側から運転者側への引き継ぎ制御を行う。同乗者側から運転者側への引き継ぎ制御を行うと、全ての処理手順を終了する。
【００９４】
ステップＳ１１において、情報取得部１１は、取得した車両状態情報、具体的には車速情報に基づいて、車両が走行中か否かを判断する。車両が走行中であると判断された場合は、ステップＳ１１に戻り、車両が走行中ではないと判断された場合は、ステップＳ１２に移行する。
【００９５】
ステップＳ１２において、制御部１０は、走行操作制限を解除する。走行操作制限を解除すると、全ての処理手順を終了する。
【００９６】
以上のように本実施の形態によれば、ステップＳ１において車両が走行中と判断されると、ステップＳ２において走行操作制限が行われる。このことは、運転席用画像に応じて運転者の操作が行われている途中に操作制限状態に移行したと切替部１２が判断することに相当する。
【００９７】
このように判断されると、切替部１２によって、ステップＳ７において、運転者側から同乗者側への引き継ぎ制御、具体的には、同乗者席用画像を、運転者の操作が行われていた途中段階の運転席用画像に切替える処理が行われる。この運転席用画像に応じて行われた運転者の操作の履歴を表す履歴情報が、履歴生成部１３によって生成される。
【００９８】
この履歴生成部１３によって生成された履歴情報に基づいて、途中段階までに運転者によって行われた操作の内容を参照可能である。したがって、同乗者は、車両の運転者の操作を円滑に引き継ぐことができる。このように本実施の形態では、車両の運転者の操作を同乗者が円滑に引き継ぐことができるように画像の表示を制御することができる。
【００９９】
また本実施の形態では、切替部１２による同乗者席用画像の切替えは、ステップＳ１およびステップＳ２の処理によって、運転席用画像に応じて運転者の操作が行われている途中に操作制限状態に移行したと判断され、かつステップＳ５において、同乗者側が切替可能状態であると判断された場合に行われる。
【０１００】
これによって、同乗者席方向に同乗者席用画像として、記録媒体に記録された映像コンテンツもしくは外部たとえば放送局から受信した映像コンテンツが表示されているか、または同乗者席用画像に応じて同乗者の操作が行われている場合、切替可能状態ではないと判断し、前記同乗者席用画像の切替えを行わないようにすることができる。したがって、同乗者の利便性を向上させることができる。
【０１０１】
また本実施の形態では、同乗者席用画像が前述の図５に示す履歴画面６０などに切替えられた場合、同乗者が戻るボタン４５などのボタンを操作できないように設定が行われる。この場合、制御部１０は、その設定に従って、履歴画面において同乗者による戻るボタン４５などのボタンの操作を受け付けないように制御を行う。すなわち、切替部１２によって、同乗者席用画像が、運転者の操作が行われていた途中段階の運転席用画像に切替えられた場合、制御部１０は、途中段階までに運転者によって行われた操作の内容が同乗者によって変更されないように制御を行う。
【０１０２】
このように制御部１０が、途中段階までに運転者によって行われた操作の内容が同乗者によって変更されないように制御を行うことによって、運転者から同乗者への操作の引き継ぎ時に、運転者の意図に反する操作が同乗者によって行われることを防ぐことができる。したがって、運転者は、安心して、同乗者に操作の引き継ぎを依頼することができる。
【０１０３】
同乗者席用画像が、運転者の操作が行われていた途中段階の運転席用画像に切替えられた場合に、制御部１０が、途中段階までに運転者によって行われた操作の内容が同乗者によって変更されないように制御を行うか否かは、同乗者が戻るボタン４５などのボタンの操作をできないように設定が行われるか否かによって決まる。同乗者による戻るボタン４５などのボタンの操作ができないように設定される場合、制御部１０は、前述のように、途中段階までに運転者によって行われた操作の内容が同乗者によって変更されないように制御を行う。同乗者による戻るボタン４５などのボタンの操作ができないように設定されない場合、制御部１０は、途中段階までに運転者によって行われた操作の内容が同乗者によって変更されないような制御を行わない。この場合には、同乗者は、運転者によって行われた操作の内容を変更することができる。
【０１０４】
切替部１２が、同乗者席用画像を、運転者の操作が行われていた途中段階の運転席用の画像に切替えるときには、運転席用画像を、同乗者によって行われている操作の状況を表す画像（以下「同乗者操作状況画像」という場合がある）に切替えるようにしてもよい。
【０１０５】
運転者は、操作を引き継いでもらったときに、同乗者側の操作の状況が全く分らないと、意図通りに操作を行なってもらっているのかが気になり、運転に集中できないおそれがある。そこで、運転席用画像を同乗者操作状況画像に切替えることによって、運転者は、安心して、同乗者に操作を任せることができるので、運転に集中することができる。
【０１０６】
同乗者操作状況画像としては、運転の妨げとならない程度の情報のみを表す画像とすることが好ましい。たとえば、目的地の住所を入力中の場合には、「目的地住所記入中」などの文字情報を、同乗者操作状況画像として表示すればよい。また、施設検索でイタリア料理店一覧を表示中の場合には、「施設検索：イタリア料理店」などの文字情報を、同乗者操作状況画像として表示すればよい。
【０１０７】
＜第３の実施の形態＞
図９は、本発明の第３の実施の形態である表示制御システム４の構成を示すブロック図である。本実施の形態の表示制御システム４は、前述の第２の実施の形態の表示制御システム２と構成が類似しているので、同一の構成については同一の参照符号を付して、共通する説明を省略する。
【０１０８】
本実施の形態の表示制御システム４は、サーバ装置によって実現される。表示制御システム４であるサーバ装置は、制御部１０、運転席用画像生成部３３および同乗者席用画像生成部３４を備えて構成される。制御部１０は、情報取得部１１、切替部１２および履歴生成部１３を備える。
【０１０９】
本実施の形態において、表示制御システム４は、カーナビゲーション装置５および表示装置２と通信可能に接続されている。カーナビゲーション装置５および表示装置２は、車両に搭載されている。本実施の形態では、カーナビゲーション装置５は、記憶部３１および操作部３２を備える。表示制御システム４と、カーナビゲーション装置５および表示装置２とが通信を行う場合、たとえば、ＵＳＢ（Universal Serial Bus）ケーブルまたはＬＡＮケーブルなどの有線によって、互いに通信可能に接続されてもよいし、無線ＬＡＮなどの無線によって、互いに通信可能に接続されてもよい。
【０１１０】
このように表示制御システム４がサーバ装置によって実現される場合でも、前述の第２の実施の形態と同様の効果を得ることができる。
【０１１１】
＜第４の実施の形態＞
図１０は、本発明の第４の実施の形態である表示制御システム６の構成を示すブロック図である。本実施の形態の表示制御システム６は、前述の第２の実施の形態の表示制御システム２と構成が類似しているので、同一の構成については同一の参照符号を付して、共通する説明を省略する。
【０１１２】
本実施の形態の表示制御システム６は、携帯通信装置によって実現される。携帯通信装置は、たとえば携帯電話機、スマートフォンまたはタブレット型端末装置である。表示制御システム６である携帯通信装置は、制御部１０、運転席用画像生成部３３および同乗者席用画像生成部３４を備えて構成される。制御部１０は、情報取得部１１、切替部１２および履歴生成部１３を備える。
【０１１３】
本実施の形態において、表示制御システム６は、カーナビゲーション装置５Ａ、サーバ装置４Ａおよび表示装置２と通信可能に接続されている。カーナビゲーション装置５Ａおよび表示装置２は、車両に搭載されている。本実施の形態では、カーナビゲーション装置５Ａは、操作部３２を備える。またサーバ装置４Ａは、記憶部３１を備える。
【０１１４】
表示制御システム６と、カーナビゲーション装置５Ａ、サーバ装置４Ａおよび表示装置２とが通信を行う場合、たとえば、無線ＬＡＮなどの無線によって、互いに通信可能に接続される。表示制御システム６と、カーナビゲーション装置５Ａおよび表示装置２とは、ＵＳＢケーブルまたはＬＡＮケーブルなどの有線によって、互いに通信可能に接続されてもよい。
【０１１５】
このように表示制御システム６が携帯通信装置によって実現される場合でも、前述の第２の実施の形態と同様の効果を得ることができる。
【０１１６】
なお、本発明は、その発明の範囲内において、各実施の形態を自由に組み合わせることが可能である。また、各実施の形態の任意の構成要素を適宜、変更または省略することが可能である。
【符号の説明】
【０１１７】
１，３，４，６  表示制御システム、２  表示装置、４Ａ  サーバ装置、５，５Ａ  カーナビゲーション装置、１０  制御部、１１  情報取得部、１２  切替部、１３  履歴生成部、３１  記憶部、３２  操作部、３３  運転席用画像生成部、３４  同乗者席用画像生成部。
【図１】
0006345033.tif 000002
【図２】
0006345033.tif 000003
【図３】
0006345033.tif 000004
【図４】
0006345033.tif 000005
【図５】
0006345033.tif 000006
【図６】
0006345033.tif 000007
【図７】
0006345033.tif 000008
【図８】
0006345033.tif 000009
【図９】
0006345033.tif 000010
【図１０】
0006345033.tif 000011